(57)【要約】【課題】周囲の部材に損傷を与えることなく、簡単かつ確実にコネクタの差込作業を行なうことができるコネクタ差込治具を提供する。【解決手段】第１のコネクタＣＯＮ１を第２のコネクタＣＯＮ２に差し込むときにコネクタ差込治具２を挿入してコネクタの差込作業を行なう。コネクタ差込治具２には、読取部が備える基板１１０Ａが変形しないようにその基板１１０Ａを下方から支える基台２０と差込中の押下板の差込ストロークを規制するためのスペーサ２５が備えられているので、このコネクタ差込治具２が用いられてコネクタが差し込まれると、基板１１０Ａの変形が阻止されコネクタの周囲の部材の中で最もデリケートな部材である保護ガラス１１０Ｇにさえ損傷が与えられることがなくなる。【選択図】  図７
2008198529.tif 000002
【特許請求の範囲】
【請求項１】
基板上に固定されている第１のコネクタの上に乗せられた、該第１のコネクタに差し込まれる第２のコネクタの、該第１のコネクタへの差し込みに用いられるコネクタ差込治具であって、
前記基板を下から支える基台と、
前記基台から立ち上がる支柱と、
前記支柱から、前記第１のコネクタの上に乗せられた第２のコネクタの上部にまで張り出し、上下に貫通するネジ穴が設けられてなる梁と、
前記梁のネジ穴に螺合し、上部につまみを有し下部が該梁のネジ穴を貫通してなるスクリューネジと、
上方にバネ付勢され前記スクリューネジによる押下を受けて前記第２のコネクタを押し下げる押下板と、
前記スクリューネジが貫通する穴を有し、該スクリューネジ上部のつまみと前記梁との間に介在して、前記スクリューネジの回転による上下動の下限を規制するスペーサとを備えたことを特徴とするコネクタ差込治具。
【請求項２】
前記基板が、上方に開口する位置決め穴を有するものであって、
前記梁が、前記位置決め穴と連通する位置決めピン差込穴を有し、
当該コネクタ差込治具が、さらに、前記位置決めピン差込穴を貫通して前記位置決めピン差込穴に嵌入する位置決めピンを備えたことを特徴とする請求項１記載のコネクタ差込治具。
【発明の詳細な説明】
【技術分野】
【０００１】
本発明は、基板上に固定されている第１のコネクタ上に乗せられた、第１のコネクタに差し込まれる第２のコネクタの、第１のコネクタへの差し込みに用いられるコネクタ差込治具に関する。
【背景技術】
【０００２】
従来より製品の組立が行なわれるときには、組立が迅速かつ確実に行なわれるように製品特有の治具が用いられて組立が行なわれることがある。このような治具の中には、製品内部に設けられている、電気配線用のコネクタの差込治具もある（特許文献１、特許文献２、特許文献３参照）。
【０００３】
ところで、製品の中には、スキャナのように動作時に筐体に対して読取部が移動するものがあり、このスキャナが組み立てられるときにはその読取部が筐体部に移動自在に組み込まれた後に読取部と筐体部側に固定されている制御部との間の接続が可撓性を有するケーブルによって行なわれることがある。
【０００４】
図１は、読取部が筐体部に移動自在に組み込まれた後に読取部と筐体部側に固定されている制御部との間の接続が可撓性を有するケーブルによって行なわれるスキャナの構成を説明する図である。また図２は、図１に示すスキャナの読取部が備えるコネクタ周辺の拡大図である。さらに図３は、読取部の構成の詳細を示す図である。
【０００５】
まず図１を参照してスキャナの構成を簡単に説明し、その後図２を参照してスキャナを組み立てるにあたってスキャナ内部の読取部と筐体側に備えられた制御部（不図示）とが可撓性を持つケーブルで接続されるときの状況を説明する。
【０００６】
まず、図１を参照してスキャナ１の構成を簡単に説明する。
【０００７】
図１に示すスキャナ１には、原稿が載置される原稿台１０と、所定の主走査方向に複数の受光センサが配列されてなる１次元イメージセンサ１１０を備えた読取部１１が備えられている。その１次元イメージセンサ１１０を備える読取部１１は、その両端部が筐体内の両側に移動自在に保持されている。つまりこの図１の構成のスキャナ１では、原稿台１０に載置された原稿を、読取部１１を副走査方向に順次に走査していくことによって各副走査位置における主走査方向に延びる１次元画像を１次元イメージセンサ１１０で次々に読み取っていって原稿台１０上の画像すべてを読み取ることになる。
【０００８】
次に、図２を参照して図１のスキャナ１を組み立てるにあたってスキャナ１内部の読取部１１と筐体側に備えられた制御部（不図示）とが可撓性を持つケーブル１２で接続されるときの状況を説明する。
【０００９】
図２に示す様に、読取部１１には１次元イメージセンサ１１０が備えられている。この１次元イメージセンサ１１０は基板１１０Ａ上に実装されており、その基板１１０Ａ上には制御部との接続を担う第１のコネクタＣＯＮ１が固定されている。
【００１０】
一方、制御部からは、その第１のコネクタＣＯＮ１に差し込まれる第２のコネクタＣＯＮ２を備えたケーブル１２が延びている。この第１のコネクタＣＯＮ１を第２のコネクタＣＯＮ２に差し込めば、制御部と読取部１１とが電気的に接続される。
【００１１】
ここで、図３に示す様に、図１の読取部が備える一次元イメージセンサ１１０の周囲には、１次元イメージセンサ１１０に塵埃などが付かないように保護ガラス１１０Ｇが設けられている。
【００１２】
その保護ガラス１１０Ｇと基板１１０Ａとを備えた読取部１１は、図２に示す様に筐体内の両側に移動自在に保持され筐体の底面からは浮いた状態になるために、可撓性のケーブル１２が接続されるときに作業者によって大きな力が加えられると、基板１１０Ａが変形して保護ガラス１１０Ｇが割れてしまうことがある。ここでは最もデリケートな部材である保護ガラス１１０Ｇを例に挙げたが、力の加減によっては保護ガラス１１０Ｇに限らずに基板１１０Ａそのものやそのコネクタ周囲の部材すべてに損傷が与えられてしまう恐れがある。
【特許文献１】特開平６−４４０８５号公報
【特許文献２】特開２０００−２２８２６７号公報
【特許文献３】特開２０００−２１５４７号公報
【発明の開示】
【発明が解決しようとする課題】
【００１３】
本発明は、上記事情に鑑み、周囲の部材に損傷を与えることなく、簡単かつ確実にコネクタの差込作業を行なうことができるコネクタ差込治具を提供することを目的とする。
【課題を解決するための手段】
【００１４】
上記目的を達成するための本発明のコネクタ差込治具は、基板上に固定されている第１のコネクタの上に乗せられた、その第１のコネクタに差し込まれる第２のコネクタの、その第１のコネクタへの差し込みに用いられるコネクタ差込治具であって、
上記基板を下から支える基台と、
上記基台から立ち上がる支柱と、
上記支柱から、上記第１のコネクタの上に乗せられた第２のコネクタの上部にまで張り出し、上下に貫通するネジ穴が設けられてなる梁と、
上記梁のネジ穴に螺合し、上部につまみを有し、下部が該梁のネジ穴を貫通してなるスクリューネジと、
上方にバネ付勢され上記スクリューネジによる押下を受けて前記第２のコネクタを押し下げる押下板と、
上記スクリューネジが貫通する穴を有し、そのスクリューネジ上部のつまみを上記梁との間に介在して、上記スクリューネジの螺合による上下動の下限を規制するスペーサとを備えたことを特徴とする。
【００１５】
上記本発明のコネクタ差込治具によれば、例えば図２に示す第１のコネクタＣＯＮ１に第２のコネクタＣＯＮ２を軽く差し込んだ状態にしておいて、当該差込治具の上記基台を図２の読取部１１の下方に挿入してその基台で読取部１１を構成する基板を支えながら上記スクリューネジを操作して上記押下板を押し下げることによって第２のコネクタを第１のコネクタに差し込むことができる。このときには上記スペーサによりスクリューネジの回転による上下動の下限が規制され第２コネクタが所定のストロークで第１のコネクタに差し込まれる。
【００１６】
このため、例えば図に示す読取部１１を構成する基板１１０Ａが上記基台に支えられた状態で上記スペーサ２５により押下板のストロークが規制され基板１１０Ａに必要以上の力が加えられることが阻止されるので、基板が変形することがなくなり、基板を含む周囲の部材に損傷を与えることがなくなる。また、作業者によって当該コネクタ差込治具を挿入するという簡単な作業が行なわれるだけでコネクタの差込作業が確実に行なわれる。
【００１７】
ここで、上記基板が、上方に開口する位置決め穴を有するものであって、
上記梁が、上記位置決め穴と連通する位置決めピン差込穴を有し、
当該コネクタ差込治具が、さらに、上記位置決めピン差込穴を貫通して上記位置決めピン差込穴に嵌入する位置決めピンを備えた態様であることが好ましい。
【００１８】
そうすると、上記位置決め穴がコネクタの挿入位置を知らせることになるので、当該差込治具が備える押下板を第２のコネクタ上に正確に配置してから当該差込治具を使って第２のコネクタを第１のコネクタに正確に差し込むことができる。
【発明の効果】
【００１９】
本発明のコネクタ差込治具によれば、周囲の部材に損傷を与えることなく、簡単かつ確実にコネクタの差込作業を行なうことができる差込治具が実現する。
【発明を実施するための最良の形態】
【００２０】
図４〜図６は、本発明のコネクタ差込治具の構成を示す図である。
【００２１】
このコネクタ差込治具２は、図２に示す読取部１１が備える基板１１０Ａ上に固定されている第１のコネクタＣＯＮ１の上に乗せられた、第１のコネクタＣＯＮ１に差し込まれる第２のコネクタＣＯＮ２の、第１のコネクタＣＯＮ１への差し込みに用いられるコネクタ差込治具２である。
【００２２】
図４〜図６に示す差込治具２は、図２に示す基板１１０Ａを下方つまり底面側から支える基台２０と、基台２０から立ち上がる支柱２１と、支柱２１から、第１のコネクタＣＯＮ１の上に乗せられた第２のコネクタＣＯＮ２の上部にまで張り出し、上下に貫通するネジ穴が設けられてなる梁２２と、梁２２のネジ穴に螺合し、上部につまみを有し下部が該梁のネジ穴を貫通してなるスクリューネジ２３と、上方にバネＳＰ１，ＳＰ２によりバネ付勢されスクリューネジ２３による押下を受けて第２のコネクタＣＯＮ２を押し下げる押下板２４と、スクリューネジ２３が貫通する穴を有し、スクリューネジ２３上部のつまみと梁２２との間に介在して、スクリューネジ２３の回転による上下動の下限を規制するスペーサ２５とを備えている。
【００２３】
また、基板１１０Ａに上方に開口する位置決め穴（後述する）を設けてあるので、梁２２が、その位置決め穴と連通する位置決めピン差込穴ｈ１，ｈ２を有し、当該コネクタ差込治具２が、さらに、位置決めピン差込穴を貫通して上記位置決め穴ｈ１，ｈ２に嵌入する位置決めピンＰ１，Ｐ２を備えている。
【００２４】
ここで、図４〜図６に示すコネクタ差込治具２を使ってどのように第１のコネクタＣＯＮ１の第２のコネクタＣＯＮ２への差込を行なうかを説明する。
【００２５】
図７は、コネクタ差込治具２を用いてコネクタの差込作業を行なうときの状況を説明する図である。この図７には、図１〜図３で説明したスキャナ１に、本発明のコネクタ差込治具２を適用する場合の例が示されている。但し、この図７に示すスキャナ１には本発明のコネクタ差込治具２を適用するために、上述したように読取部１１が備える基板１０１Ａに位置決め穴Ｈ３，Ｈ４がそれぞれ設けられている。
【００２６】
まず、図７（ａ）に示すようにまず、第２のコネクタＣＯＮ２を第１のコネクタＣＯＮ１のところに配設する。次に図７（ｂ）に示す様に第２のコネクタＣＯＮ２を第１のコネクタＣＯＮ１の上に置いて軽く差し込む。この状態にしておいて、図４〜図６のコネクタ差込治具２が備える基台２０を読取部１１が備える基板１１０Ａと底面との間に挿入して図７（ｃ）の状態にする。
【００２７】
このときには、コネクタ差込治具２が備える位置決め穴ｈ１，ｈ２を貫通して基板１１０Ａが備える位置決めピン差込穴Ｈ３，Ｈ４に、２つの位置決めピンＰ１，Ｐ２を挿入してコネクタ差込治具２の挿入位置を正しく決めておいて、図７（ｃ）に示す様にスクリューネジ２３を回転させてスペーサ２５で規制されているところまで第１のコネクタＣＯＮ１を第２のコネクタＣＯＮ２に差し込む。その後コネクタ差込治具２を取り去ると、図７（ｄ）に示す様に正しく第１のコネクタＣＯＮ１が第２のコネクタＣＯＮ２に差し込まれる。
【００２８】
このようにすると、コネクタ差込治具２によって基板１１０Ａが支えられるとともに第２のコネクタＣＯＮ２を第１のコネクタＣＯＮ１に差し込むときのストロークがスペーサ２５により規制されるので、基板に必要以上の力が加えられなくなって基板１１０Ａの変形が阻止され基板１１０Ａを含む周囲の部材に損傷を与えることがなくなる。このコネクタ差込治具を用いると、最もデリケートな部材である保護ガラス１１０Ｇでさえ割れることがない。
【００２９】
以上説明したように、周囲の部材に損傷を与えることなく、簡単かつ確実にコネクタの差込作業を行なうことができる差込治具が実現する。
【図面の簡単な説明】
【００３０】
【図１】読取部が筐体部に移動自在に組み込まれた後に読取部と筐体部側に固定されている制御部との間の接続が可撓性を有するケーブルによって行なわれるスキャナの構成を説明する図である。
【図２】図１に示すスキャナの読取部が備えるコネクタ周辺の拡大図である。
【図３】読取部の構成の詳細を示す図である。
【図４】本発明のコネクタ差込治具の構成を示す図である。
【図５】本発明のコネクタ差込治具の構成を示す図である。
【図６】本発明のコネクタ差込治具の構成を示す図である。
【図７】コネクタ差込治具を用いて差込作業を行なうときの状況を説明する図である。
【符号の説明】
【００３１】
２  コネクタ差込治具
２０    基台
２１    支柱
２２    梁
２３    スクリュー
２４    押下板
２５    スペーサ
１  スキャナ
１０    原稿台
１１    読取部
１１０    １次元イメージスキャナ
１１０Ａ    基板
１１０Ｇ  保護ガラス
ＣＯＮ１  第１のコネクタ
ＣＯＮ２  第２のコネクタ
【図１】
2008198529.tif 000003
【図２】
2008198529.tif 000004
【図３】
2008198529.tif 000005
【図４】
2008198529.tif 000006
【図５】
2008198529.tif 000007
【図６】
2008198529.tif 000008
【図７】
2008198529.tif 000009